(57)【要約】【課題】使用者の肌に調和する化粧料を、技術を要することなく確実に判定できる相性判定用具を提供する。【解決手段】化粧料判定用具１は、開口部３と、開口部３に隣接する第一見本部４および第二見本部５とを備える判定ユニット２を、１または２以上備えている。第一見本部４はイエローベースの化粧料Ｙの色を表示し、第二見本部５はブルーベースの化粧料Ｚの色を表示する。同一の判定ユニット２において、化粧料Ｙの色と化粧料Ｚの色は、明度および彩度が略同一である一方、黄みおよび青みの色相が異なる。そのため、判定ユニット２を肌に当てて開口部３を通して肌の色を視認可能とすることにより、肌の色と化粧料Ｙおよび化粧料Ｚの色との相性を容易に比較判定できる。判定結果に基づいて、使用者がイエローベースの化粧料とブルーベースの化粧料のいずれに対して、より調和するかを一般の人間にも容易に判断できる。【選択図】図１
2020000874.tif 000002
【特許請求の範囲】
【請求項１】
開口部と、前記開口部と平面視上で隣接しており第１の化粧料の色を表示する第１着色部と、前記開口部と平面視上で隣接しており第２の化粧料の色を表示する第２着色部とを有する判定ユニットを備え、
前記第１着色部が表示する色と前記第２着色部が表示する色とは、明度および彩度が略同一であり、かつ、黄みおよび青みの段階に係る色相が異なることを特徴とする化粧料判定用具。
【請求項２】
請求項１に記載の化粧料判定用具において、
複数の前記判定ユニットが平面視で一方向に並んだ構成を有しており、
各々の前記判定ユニットが有する前記第１着色部が表示する色は、それぞれ明度および彩度の少なくとも一方が異なり、
各々の前記判定ユニットが有する前記第２着色部が表示する色は、それぞれ明度および彩度の少なくとも一方が異なる化粧料判定用具。
【請求項３】
請求項１または請求項２に記載の化粧料判定用具において、
前記第１着色部と前記第２着色部とはそれぞれ平面視上で離反する方向に移動可能である化粧料判定用具。
【請求項４】
請求項１ないし請求項３のいずれかに記載の化粧料判定用具において、
前記第１着色部および前記第２着色部の各々は、変色を防ぐ透明な材料で密封されている化粧料判定用具。
【請求項５】
請求項１ないし請求項４のいずれかに記載の化粧料判定用具において、
前記判定ユニットは、肌の形状に合わせて変形するフレキシブルな材料で構成される化粧料判定用具。
【発明の詳細な説明】
【技術分野】
【０００１】
本発明は、使用者の肌に合った色調の化粧料を、簡便かつ確実に選定できる化粧料判定用具に関する。
【背景技術】
【０００２】
ファンデーションなどの化粧料を用いて化粧を行う場合、化粧が不自然にならないように、肌の色に調和する化粧料を選定することが重要である。従来は、明度や彩度の異なる様々な色調の中から、使用者の肌の色と調和する色調を有する化粧料を選定していた。
【０００３】
また従来は、比較的黄みの強い色相を有する色（イエローベース）の化粧料が、特に日本人の使用者に調和すると考えられていた。しかし近年では、明度や彩度が同じであっても比較的青みが強い色相を有する色（ブルーベース）の化粧料の方が調和する日本人も多数存在することが判明している。
【０００４】
そのため近年では、使用者に最も調和する化粧料を選定すべく、イエローベースとブルーベースのうち、より良く使用者に調和する化粧料を判定することが重要となっている。従来の判定方法としては、イエローベースの化粧料とブルーベースの化粧料とをそれぞれ使用者の肌に直接塗着し、所定の時間経過後における当該塗着した化粧料の色の変化を観察する方法が提案されている（例えば、特許文献１）。
【先行技術文献】
【特許文献】
【０００５】
【特許文献１】特開２００４−５３５７３号公報
【発明の概要】
【発明が解決しようとする課題】
【０００６】
しかしながら、このような従来の判定方法では、塗着した化粧料の色の変化を確認するまでに時間を要するので、使用者が煩わしく感じる問題がある。また、塗着した化粧料の変色の判定には、カラーアナリストなどが有する程度の高度な技術が要求されるので、一般の使用者には適切な判定が困難である。さらに、使用者の肌に対して化粧料の塗着と除去とを実際に繰り返し行う必要があるので、判定に時間を要するとともに使用者の肌にストレスがかかるという問題も懸念される。
【０００７】
本発明は、このような事情に着目してなされたものであって、使用者の肌に調和する化粧料を、技術を要することなく確実に判定できる化粧料判定用具を提供することを目的とするものである。
【課題を解決するための手段】
【０００８】
上記目的を達成するために、本発明では次のように構成している。
【０００９】
この発明は、このような目的を達成するために、次のような構成をとる。
すなわち、本発明に係る化粧料判定用具は、開口部と、前記開口部と平面視上で隣接しており第１の化粧料の色を表示する第１着色部と、前記開口部と平面視上で隣接しており第２の化粧料の色を表示する第２着色部とを有する判定ユニットを備え、前記第１着色部が表示する色と前記第２着色部が表示する色とは、明度および彩度が略同一であり、かつ、黄みおよび青みの段階に係る色相が異なることを特徴とする。
【００１０】
（作用・効果）この構成によれば、化粧料判定用具が備える判定ユニットは、開口部と、開口部に隣接する第１着色部および第２着色部とを有している。開口部、第１着色部および第２着色部が隣接しているので、判定ユニットを使用者の肌に当てて開口部を通して肌の色を視認可能とすることにより、当該肌の色と、第１着色部が表示する色と、第２着色部が表示する色とを、視線を動かすこと無く同時に視覚判定することが容易となる。
【００１１】
そして、第１着色部が表示する色と第２着色部が表示する色とは、明度および彩度が略同一であり、かつ、黄みおよび青みの段階に係る色相が異なる。そのため、視覚判定の際に明度および彩度の相違による影響をより確実に排除できる。また、隣接する複数の色を同時に視覚判定するだけで、黄みの強いイエローベースの化粧料と青みの強いブルーベースの化粧料のいずれが、使用者の肌の色により調和するかが判定できる。従って、使用者の肌に調和する化粧料を、高度な技術を要することなく確実に判定することが可能となる。
【００１２】
また、上述した発明において、複数の前記判定ユニットが平面視で一方向に並んだ構成を有しており、各々の前記判定ユニットが有する前記第１着色部が表示する色は、それぞれ明度および彩度の少なくとも一方が異なり、各々の前記判定ユニットが有する前記第２着色部が表示する色は、それぞれ明度および彩度の少なくとも一方が異なることが好ましい。
【００１３】
（作用・効果）この構成によれば、化粧料判定用具は複数の判定ユニットが平面視で一方向に並んだ構成を有している。そして複数の判定ユニットの各々が有している第１着色部の色は、それぞれ明度および彩度の少なくとも一方が異なっている。また、複数の判定ユニットの各々が有している第１着色部の色も、それぞれ明度および彩度の少なくとも一方が異なっている。
【００１４】
このような構成を有することにより、明度および彩度に係る複数の組み合わせパターンについて、黄みおよび青みの色相のみを指標とした判定を行うことができる。従って、イエローベースの化粧料とブルーベースの化粧料のうち、使用者の肌の色に調和する化粧料をより正確に判定することができる。
【００１５】
また、上述した発明において、前記第１着色部と前記第２着色部とはそれぞれ平面視上で離反する方向に移動可能であることが好ましい。
【００１６】
（作用・効果）この構成によれば、第１着色部と第２着色部とはそれぞれ平面視上で離反する方向に移動可能であるので、当該移動によって開口部の広さおよび形状を適宜変更できる。すなわち、判定の条件に応じて第１着色部と第２着色部とを離反方向に適宜移動させることによって、開口部と第１着色部と第２着色部とを同時に視覚判定可能とするように開口部の広さなどを調節できる。その結果、使用者の肌の色に調和する化粧料をより好適に判定できる。
【００１７】
また、上述した発明において、前記第１着色部および前記第２着色部の各々は、変色を防ぐ透明な材料で密封されていることが好ましい。
【００１８】
（作用・効果）この構成によれば、第１着色部および第２着色部の各々は、変色を防ぐ透明な材料で密封されているので、化粧料判定用具を長期間使用した場合であっても第１着色部および第２着色部の変色によって化粧料判定が不正確となることを回避できる。そのため、より長期的な使用に耐える化粧料判定用具を提供できる。
【００１９】
また、上述した発明において、前記判定ユニットは、肌の形状に合わせて変形するフレキシブルな材料で構成されることが好ましい。
【００２０】
（作用・効果）この構成によれば、判定ユニットは、肌の形状に合わせて変形するフレキシブルな材料で構成されるので、凹凸の多い部分などについても化粧料判定用具を肌に対して好適に密着させることができる。そのため、化粧料判定用具をより好適に適用できる身体の部分がより多くなるので、化粧料判定用具の汎用性をより向上できる。
【発明の効果】
【００２１】
このように、本発明の化粧料判定用具によれば、判定ユニットの開口部を肌に当てて開口部から視認できる肌の色と各着色部が表示する色との相性を視覚判定するだけで各化粧料と使用者の肌との調和を判断できる。そのため、使用者の肌に合った色調の化粧料を、簡便かつ確実に選定できる。
【図面の簡単な説明】
【００２２】
【図１】実施例に係る化粧料判定用具の平面図である。
【図２】実施例に係る化粧料判定用具の断面図である。
【図３】実施例に係る化粧料判定用具を用いて判定する態様を示す図である。
【図４】実施例に係る化粧料判定用具において、視認される色の各領域を示す平面図である。
【図５】変形例に係る化粧料判定用具の使用形態を示す平面図である。
【図６】変形例に係る化粧料判定用具の使用形態を示す断面図である。
【図７】変形例に係る化粧料判定用具の使用形態を示す平面図である。
【図８】変形例に係る化粧料判定用具の断面図である。
【発明を実施するための形態】
【００２３】
＜全体構成の説明＞
以下、本発明の実施例を図面に基づいて説明する。実施例に係る化粧料判定用具１は、１または２以上の判定ユニット２によって構成されている。本実施例では、３つの判定ユニット２が所定の方向に連なった構成を例にとって説明する。当該３つの判定ユニット２の各々については図１に示すように、符号２ａ〜２ｃを付して特定する。
【００２４】
判定ユニット２の各々は、図１に示すように開口部３と、第一見本部４と、第二見本部５とを備えている。開口部３は、第一見本部４と第二見本部５との隣接部を含む領域に形成されている。すなわち開口部３は、第一見本部４と第二見本部５とを跨ぐように構成されている。開口部３と第一見本部４とが隣接する部分を第一隣接部６とし、開口部３と第二見本部５とが隣接する部分を第二隣接部７とする。
【００２５】
なお、本実施例では図１に示すように、判定ユニット２ａ〜２ｃの各々に設けられている第一見本部４の各々については符号４ａ〜４ｃを付し、第二見本部５の各々については符号５ａ〜５ｃを付して区別する。同様に、判定ユニット２ａ〜２ｃの各々における第一隣接部６については符号６ａ〜６ｃを付して区別し、第二隣接部７については符号７ａ〜７ｃを付して区別する。
【００２６】
図２は、図１のＡ−Ａ線断面図を示している。第一見本部４および第二見本部５の各々は、開口部３が形成されている基材８の上に形成されている。第一見本部４の各々はイエローベースの化粧料Ｙによって構成されており、第二見本部５の各々はブルーベースの化粧料Ｚによって構成されている。第一見本部４ａ〜４ｃの各々を構成する化粧料Ｙについて、それぞれ化粧料Ｙａ〜Ｙｃとして区別する。また、第二見本部５ａ〜５ｃの各々を構成する化粧料について、それぞれ化粧料Ｚａ〜Ｂｃとして区別する。
【００２７】
同一の判定ユニット２において、第一見本部４を構成する化粧料Ｙと第二見本部５を構成する化粧料Ｚとは、各々の色の明度および彩度は略同一である一方、色相の中で黄みまたは青みの段階が異なる化粧料が用いられる。一例として、化粧料Ｙａと化粧料Ｚａは、明度および彩度は略同一である一方、化粧料Ｙａは化粧料Ｚａと比べて黄みの強い色相の化粧料であり、化粧料Ｚａは比較的青みの強い色相の化粧料である。同様に、化粧料Ｙｂと化粧料Ｚｂ、並びに化粧料Ｙｃと化粧料Ｚｃは、明度および彩度は略同一である一方、黄みおよび青みの色相が異なる。
【００２８】
化粧料Ｙａ〜Ｙｃの各々は、明度および彩度の少なくとも一方がそれぞれ異なるイエローベースの化粧料である。また化粧料Ｚａ〜Ｂｃの各々は、明度および彩度の少なくとも一方がそれぞれ異なるブルーベースの化粧料である。本実施例では３つの判定ユニット２ａ〜２ｃを用いることにより、明度および彩度の組み合わせパターンのうち３種類のパターンについて、イエローベースとブルーベースのいずれがより調和するかを判定できる。
【００２９】
なお、第一見本部４は本発明における第１着色部に相当し、第二見本部５は本発明における第２着色部に相当する。化粧料Ｙの各々は本発明における第１の化粧料に相当し、化粧料Ｚの各々は本発明における第２の化粧料に相当する。
【００３０】
基材８の構成材料は特に限定されないが、化粧料Ｙおよび化粧料Ｚの色に及ぼす影響がより小さい材料であることが好ましい。構成材料の一例としては、透明な樹脂フィルムやゲル膜、および白色度の高い紙やプラスチック板などが挙げられる。
【００３１】
また、基材８の構成材料は可撓性を有するフレキシブルな材料であることがより好ましい。基材８が可撓性を有する場合、使用者の肌の形状に追従して化粧料判定用具１を変形させることができる。そのため、使用者の肌に化粧料判定用具１を好適に密着させることで、より良好に化粧料の色と肌の色との相性を判定できる。
【００３２】
＜使用態様の説明＞
ここで、実施例に係る化粧料判定用具１を用いて、使用者にとって相性の良い化粧料がイエローベースとブルーベースのいずれであるかを判定する態様を説明する。
【００３３】
化粧料判定用具１を使用する場合、全体としてシート状である化粧料判定用具１を、使用者の身体または顔の一部分の上に配置する。一例として図３に示すように、左腕内側Ｌの上に化粧料判定用具１を配置する。化粧料判定用具１を身体の上に配置することにより、開口部３の各々を通して、使用者の肌の色が視認可能となる。
【００３４】
化粧料判定用具１を構成する判定ユニット２の各々において、開口部３は、イエローベースの化粧料Ｙで構成される第一見本部４と、ブルーベースの化粧料Ｚで構成される第二見本部５との各々に隣接している。すなわち、使用者は開口部３を通して視認される肌の色と、第一見本部４の色（化粧料Ｙの色）とを同時に観察することにより、肌の色と化粧料Ｙの色との相性を判定する。そして、開口部３を通して視認される肌の色と、第二見本部５の色（化粧料Ｚの色）とを同時に観察することにより、肌の色と化粧料Ｚの色との相性を判定する。
【００３５】
具体的には、開口部３と第一見本部４との境界である第一隣接部６、および開口部３と第二見本部５との境界である第二隣接部７において、隣接する色同士が影響し合う。そして影響し合った結果生み出される色、すなわち混色が人間の目に映ることとなる。すなわち図４に示すように、第一隣接部６、および開口部３における第一隣接部６の近傍の領域である領域Ｄにおいて、使用者の肌の色と化粧料Ｙの色とが影響し合って発生する混色Ｐが、判定者の目に対して映し出される。同様に、第二隣接部７、および開口部３における第二隣接部７の近傍の領域である領域Ｅにおいて、使用者の肌の色と化粧料Ｚの色とが影響し合い、混色Ｑが映し出される。
【００３６】
一方、判定者は開口部３の中央寄りの領域Ａにおいて、使用者の肌の色を視認できる。また、領域Ｄから離れた第一見本部４の領域Ｂにおいて、化粧料Ｙの色を視認できる。そして、領域Ｅから離れた第二見本部５の領域Ｃにおいて、化粧料Ｚの色を視認できる。判定者は、領域Ａ〜Ｅの各々を視認することにより、使用者の肌の色、化粧料Ｙの色、化粧料Ｚの色、混色ＰおよびＱを比較できる。そして判定者は各々の色を比較検討することにより、使用者の肌の色は化粧料Ｙおよび化粧料Ｚのいずれに対してより調和しているかを判定する。
【００３７】
判定者は、化粧料判定用具１を構成する判定ユニット２の各々について、明度および彩度が略同一の色である、化粧料Ｙおよび化粧料Ｚに対する使用者の肌色の相性を判定する。すなわち、判定ユニット２ａにおいて領域Ａ〜Ｅの各々を視認することにより、使用者の肌の色は化粧料Ｙａおよび化粧料Ｚａのいずれに調和するかを判定する。
【００３８】
そして判定ユニット２ｂにおける領域Ａ〜Ｅの各々を視認することによって、化粧料Ｙｂおよび化粧料Ｚｂとの相性を判定する。同様に、判定ユニット２ｃにおける領域Ａ〜Ｅの各々を視認することによって化粧料Ｙｃおよび化粧料Ｚｃとの相性を判定する。
【００３９】
具体的には、黄色と青色とは補色関係にあるため、黄みの強い色と青みの強い色とが影響し合った場合、補色によって灰色の色相が強い色となる。そのため、一例として使用者の肌の色がイエローベースに調和しない性質を有する場合、黄みの強い化粧料Ｙの色と使用者の肌の色との補色により、領域Ｄに発生する混色Ｐは、判定者の目に対して灰色の強い、くすんだ色として映る。
【００４０】
その一方で、ブルーベースの化粧料Ｚは使用者の肌の色に調和する。そのため、青みの強い化粧料Ｚの色と使用者の肌の色とは色相が近い（補色関係が弱い）ので、領域Ｅに発生する混色Ｑは判定者の目に対して、くすみがなく輝きのある、使用者の本来の肌の色として映る。
【００４１】
そのため、判定ユニット２において混色Ｐと混色Ｑのうち、混色Ｐの方がくすみの強い肌の色として映り、混色Ｑの方が輝きのある肌の色として映る場合、化粧料Ｙより化粧料Ｚの方が使用者の肌に対して好相性であると判断できる。一方、混色Ｑの方がくすみの強い肌の色として映り、混色Ｐの方が輝きのある肌の色として映る場合、化粧料Ｚより化粧料Ｙの方が使用者の肌に対して好相性であると判断できる。
【００４２】
判定ユニット２の各々について判定した結果、化粧料Ｙａ〜Ｙｃの色の方が使用者の肌の色に対する相性が良い色が多いと判断できる場合、使用者の肌に対してイエローベースの化粧料がより調和すると判定される。一方、化粧料Ｚａ〜Ｚｃの方が好相性の色が多いと判断できる場合、使用者の肌に対してブルーベースの化粧料がより調和すると判定される。
【００４３】
このように、実施例に係る化粧料判定用具１は、開口部３と、開口部３に隣接する第一見本部４および第二見本部５とを備える判定ユニット２を、１または２以上備えている。第一見本部４はイエローベースの化粧料Ｙの色を表示し、第二見本部５はブルーベースの化粧料Ｚの色を表示する。同一の判定ユニット２において、化粧料Ｙの色と化粧料Ｚの色は、明度および彩度が略同一である一方、黄みおよび青みの段階に係る色相が異なる。
【００４４】
そのため、判定ユニット２を肌に当てて開口部３を通して肌の色を視認可能とすることにより、開口部３、第一見本部４および第二見本部５を一見するという単純な動作によって、肌の色と化粧料Ｙおよび化粧料Ｚの色との相性を容易に比較判定できる。従って、判定結果に基づいて、使用者がイエローベースの化粧料とブルーベースの化粧料のいずれに対して、より調和するかを一般の人間にも容易に判断できる。
【００４５】
一例として判定ユニット２ａでは、黄みおよび青みの色相のみが異なる化粧料Ｙａの色と化粧料Ｚａの色との組み合わせについて、使用者の肌の色との相性を判定する。同一の判定ユニットにおける、化粧料Ｙの色と化粧料Ｚの色とは明度および彩度が略同一であるので、黄みおよび青みの色相のみを指標として判定を行うことができる。
【００４６】
化粧料判定用具１は、複数の判定ユニット２が接続した構成を有している。各々の判定ユニット２に配設される化粧料Ｙ同士は、明度および彩度の少なくとも一方が異なる。すなわち、複数の判定ユニット２を用いることにより、明度および彩度に係る複数の組み合わせについて、黄みおよび青みの色相のみを指標とした判定を行うことができる。従って、イエローベースとブルーベースの中から、使用者の肌に調和する化粧料をより正確に判定することができる。
【００４７】
また、明度および彩度の組み合わせパターンについて複数パターンの化粧料ＹおよびＺが平面視上で隣接しているので、複数の組み合わせパターンの化粧料を同時に視認できる。そのため、使用者の肌がイエローベースの化粧料の多くに調和する傾向であるか、ブルーベースの化粧料の多くに調和する傾向であるかを判定する際に、複数のスケール状の見本を一つ一つめくる動作など、煩わしい動作を行うことを回避できる。
【００４８】
また、判定ユニット２に設けられる開口部３は、第一見本部４と第二見本部５との隣接部を含む領域に形成される。すなわち開口部３、第一見本部４、および第二見本部５は近接するように構成されるので、開口部３、第一見本部４、および第二見本部５を同時に視認することが容易となる。その結果、使用者の肌の色と、化粧料Ｙおよび化粧料Ｚの色と、これらの混色ＰおよびＱの色とを、視線を動かすことなく同時に視認できるので、使用者の肌に調和する化粧料を判定する際に、判定者が疲労することを回避できる。
【００４９】
本発明は、上記実施形態に限られることはなく、下記のように変形実施することができる。
【００５０】
（１）上述した実施例において、各判定ユニット２は図５に示すように、第一見本部４および第二見本部５をそれぞれ離反する方向にスライド移動可能とする構成であってもよい。当該変形例に係る化粧料判定用具１Ａは、図６の各図に示すように、基材８の下部に接続部９が配設されている。
【００５１】
接続部９に設けられている図示しないレールに沿って基材８が移動することにより、第一見本部４および第二見本部５はそれぞれ離反する方向に移動可能となっている。なお、接続部９を配設する構成は当該変形例の一例であり、第一見本部４および第二見本部５が移動可能である限りにおいて、化粧料判定用具１Ａの構成は適宜変更してよい。
【００５２】
このような変形例（１）において、第一見本部４および第二見本部５がスライド移動することによって、化粧料判定用具１Ａは、開口部３が比較的狭い状態（閉状態：図６（ａ））から比較的広い状態（開状態：図６（ｂ））に変わる。このように閉状態と開状態を調整することにより、開口部３の形状および広さを適宜変更できる。図６の各図は、化粧料判定用具１ＡのＡ−Ａ線断面図である。図５は、開状態における化粧料判定用具１Ａの平面図を示している。
【００５３】
また、スライド移動させて開口部３を開状態とすることにより、第一隣接部６および第二隣接部７の領域をより大きくすることができる。すなわち、開状態では混色Ｐを視認できる領域Ｄおよび混色Ｑを視認できる領域Ｅがより広くなるので、イエローベースの化粧料Ｙとブルーベースの化粧料Ｚのいずれが相性のよい化粧料であるかを、より容易かつ確実に判定できる。
【００５４】
また、第一見本部４および第二見本部５がスライド移動させる距離Ｍを適宜調整することにより、使用者の肌の色を視認できる領域Ａと、混色Ｐを視認できる領域Ｄおよび混色Ｑを視認できる領域Ｅとの距離をそれぞれ適宜調整できるので、視線を移動させることなく化粧料の相性をより好適に判定できる。
【００５５】
また、変形例（１）において、開口部３の広さを調節する構成は、第一見本部４および第二見本部５をスライド移動させる構成に限られない。すなわち図７に示すように、第一見本部４の一部と第二見本部５の一部とを接続固定する固定部１０を中心として、第一見本部４および第二見本部５がｘｙ平面に沿って、それぞれ離反する方向に回転移動する構成であってもよい。このように回転移動によって開口部３を閉状態（図７上段）から開状態（図７下段）へ適宜切り換える構成であっても、開口部３の広さおよび形状を適宜変更できる。
【００５６】
（２）上述した実施例において、図２に示すような、第一見本部４および第二見本部５の各々は基材８の上に設けられている構成を例にとって説明したが、図８に示すように、開口部３を有する第一見本部４および第二見本部５の各々が、基材８によって密封されている構成であってもよい。このような変形例の構成としては、パウチ加工などによって密封する構成が挙げられる。
【００５７】
このような変形例（２）において、基材８の構成材料としては、第一見本部４および第二見本部５に対する空気や水分の影響を防止できる、樹脂フィルムなどが好ましい。このような材料を用いて密封する構成では、ファンデーションなど実際に用いられる化粧料そのものを第一見本部４および第二見本部５の構成材料とする場合であっても、用いられる化粧料が空気などに触れて変色・劣化することを好適に回避できる。
【００５８】
（３）上述した実施例において、第一見本部４の構成材料として、イエローベースの化粧料Ｙそのものを用いたが、第一見本部４は、イエローベースの化粧料Ｙの色と同じ色の材料を塗布する構成であってもよい。同様に、第二見本部５は、ブルーベースの化粧料Ｚと同じ色の材料を塗布する構成であってもよい。第一見本部４および第二見本部５において、化粧料自体を用いることなく、化粧料と同じ色に塗布する構成とする場合、化粧料の劣化による変色を回避できるので、より長期間の使用に耐える化粧料判定用具を提供できる。
【００５９】
（４）上述した実施例において、開口部３の形状は円形に限ることはなく、楕円や多角形など他の形状であってもよい。また、開口部３を複数備える構成であってもよい。また、判定ユニット２の各々に設けられる開口部３の数は１つに限ることはなく、複数設ける構成であってもよい。
【００６０】
（５）上述した実施例において、第一見本部４をイエローベースの色となるように構成したが、第一見本部４をブルーベースの色とし、第二見本部５をイエローベースの色となるように構成してもよい。
【００６１】
（６）上述した実施例において、基材８として透明な材料を用いる場合、基材８の層には開口部３を設けない構造としてもよい。この場合、第一見本部４および第二見本部５の間に設けられる開口部３と、透明な基材８の層とを通して使用者の肌の色を直接視認できる。
【符号の説明】
【００６２】
１  ……  化粧料判定用具
２  ……  判定ユニット
３  ……  開口部
４  ……  第一見本部
５  ……  第二見本部
６  ……  第一隣接部
７  ……  第二隣接部
８  ……  基材
９  ……  接続部
【図１】
2020000874.tif 000003
【図２】
2020000874.tif 000004
【図３】
2020000874.tif 000005
【図４】
2020000874.tif 000006
【図５】
2020000874.tif 000007
【図６】
2020000874.tif 000008
【図７】
2020000874.tif 000009
【図８】
2020000874.tif 000010